(57)【要約】【課題】樹脂製タイルに対しカバーを着脱可能に設け、前記樹脂製タイルとカバーとの間に表示部材を介装し、前記カバーおよび／または表示部材を容易に交換可能にする。【解決手段】樹脂製タイル１２に複数の穴１８を設ける。樹脂製タイル１２の上面１２ａにはカバー１４が設けられ、該カバー１４の下面部分１４ｂには穴１８に係合する凸部２２が設けられる。樹脂製タイル１２の穴１８とカバー１４の凸部２２とを着脱自在に係合し、前記樹脂製タイル１２の上面１２ａとカバー１４の下面部分１４ｂとの間に表示シート１６が着脱可能に介挿される。【選択図】図１
2004308215.tif 000002
【特許請求の範囲】
【請求項１】
基材と、
前記基材に被せられるカバー部材と、
前記基材と前記カバー部材との間に設けられる表示部材と、
を備え、
前記カバー部材は前記表示部材が視認されるように透明または半透明であり、
前記カバー部材は基材に対し着脱自在に設けられていることを特徴とする積層タイル。
【請求項２】
請求項１記載の積層タイルにおいて、
前記表示部材は、文字、図形、絵柄等を含むことを特徴とする積層タイル。
【請求項３】
請求項１または２記載の積層タイルにおいて、
前記表示部材は担体に一体的に固着されていることを特徴とする積層タイル。
【請求項４】
請求項１または２記載の積層タイルにおいて、
前記カバー部材には、前記表示部材が固着されていることを特徴とする積層タイル。
【請求項５】
請求項１乃至４のいずれか１項に記載の積層タイルにおいて、
前記カバー部材は、上部がエンボス形状に成形されていることを特徴とする積層タイル。
【請求項６】
請求項１乃至４のいずれか１項に記載の積層タイルにおいて、
前記カバー部材の上部には、コーティング層が設けられていることを特徴とする積層タイル。
【請求項７】
請求項１乃至６のいずれか１項に記載の積層タイルにおいて、
前記基材の上部には複数個の凸部または凹部が設けられ、前記カバー部材の下部には前記凸部または凹部に係合する凹部または凸部が設けられることを特徴とする積層タイル。
【請求項８】
請求項１乃至６のいずれか１項に記載の積層タイルにおいて、
前記基材の側面には凹部または凸部が設けられ、前記カバー部材には前記凹部または凸部に係合する凸部または凹部が設けられることを特徴とする積層タイル。
【請求項９】
請求項１乃至８のいずれか１項に記載の積層タイルにおいて、
前記基材は、樹脂製タイルであることを特徴とする積層タイル。
【発明の詳細な説明】
【０００１】
【発明の属する技術分野】
本発明は、店舗、事務所、公共施設、展示場等の各種床面に設置される積層タイルに関し、さらに詳細には基材となるタイルに対し着脱自在にカバー部材を設け、前記基材とカバー部材との間に表示部材を介装した積層タイルに関する。
【０００２】
【従来の技術】
多数のプラスチックタイルをコンクリートの打設等で形成された床面に敷くことにより仕上げられたプラスチックタイル敷き床は、清掃の容易性や清潔感から店舗、飲食店、事務所および公共施設等の各種建物に採用されている。
【０００３】
従来、プラスチックタイルは、例えば、置き敷きタイルと称する樹脂製タイルをフィルムで被覆することにより汚れから守り、もしくはフィルムに絵柄の表示を複合的に施すことが行われている。
【０００４】
この種のプラスチックタイルは、所定の意匠を施した塩化ビニルシートの表面に塩化ビニルクリヤシートで被覆したタイル用表材Ａと、高密度気泡構造ウレタンフィルムにウレタン樹脂系の粘着剤を塗布した粘着シートＢと、カレンダー圧延方式によりコンパウンドを使用したバッキング材Ｇとを作成する。
【０００５】
そして、上記圧延方式により前記タイル用表材Ａをバッキング材Ｇの表面に連続的に熱ラミネートしてタイル粗材Ｃを作成し、同時に、同工程において、前記粘着シートＢのウレタンフィルム面（被粘着面）と前記タイル粗材Ｃとの間にホットメルト接着剤Ｄを挿入して熱ラミネートすることにより、複合シートＦが作成され、前記複合シートＦを所定の大きさに裁断して簡易着脱プラスチックタイルが作成される（例えば、特許文献１参照）。
【０００６】
【特許文献１】
実用新案登録第３０１８８１０号公報（段落［００１２］）
【０００７】
【発明が解決しようとする課題】
しかしながら、上記の簡易着脱プラスチックタイルは、該プラスチックタイルの絵柄のみを換えたいと欲するとき、それが実現できない。すなわち、塩化ビニルクリヤシートにより被覆された塩化ビニルシートに絵柄が印刷または焼き付けされているので、前記プラスチックタイルごと交換することが必要になり、実際上困難であるし、敢えて交換を試みようとすると費用が嵩む難点がある。
【０００８】
さらに、汚れることにより前記プラスチックタイルの一部を交換した際、新たに交換されたプラスチックタイルと交換されていないプラスチックタイルとの間で、該プラスチックタイル上の絵柄間に色誤差が発生するという不具合があった。
【０００９】
本発明は、上記の課題を克服するためになされたもので、基材となるタイルに対しカバー部材を着脱自在に設けることによりタイルとカバー部材との間に文字、図形、絵柄等を含む表示部材を設けることが可能になり、通行人は透明または半透明なカバー部材を通して絵柄等を楽しむことができ、しかも適宜のタイミングで表示部材の交換が容易にできる積層タイルを提供することを目的とする。
【００１０】
【課題を解決するための手段】
本発明は、基材と、
前記基材に被せられるカバー部材と、
前記基材と前記カバー部材との間に設けられる表示部材と、
を備え、
前記カバー部材は前記表示部材が視認されるように透明または半透明であり、
前記カバー部材は基材に対し着脱自在に設けられていることを特徴とする。
【００１１】
本発明によれば、前記カバー部材の汚染、破損等によるこれらの部材の交換、清掃が容易に行えるので、保守点検作業が容易となり、メンテナンス費用を低減することが可能である。
【００１２】
さらに、前記カバー部材は基材に対し着脱自在に設けられているので交換作業が簡単であり、且つ該カバー部材を再利用することができ、結果としてタイル製敷き床に対するコストを軽減することが可能である。
【００１３】
前記表示部材は、文字、図形、絵柄等から構成されていると、前記文字、図形、絵柄等の設置を適宜に設定することができるのでよい。
【００１４】
この場合、前記表示部材は担体に一体的に固着されていると、前記文字、図形、絵柄等が担体に対し印刷等により表示されるので、好適である。
【００１５】
なお、前記カバー部材には、前記表示部材が固着されていると、当該カバー部材と表示部材とを一体的に取り扱うことができ、好ましい。
【００１６】
この場合、前記カバー部材は、上部がエンボス形状に成形されていると通行人が滑ることを阻止できる。
【００１７】
また、この場合、前記カバー部材は、上部にコーティング層が設けられていると、該カバー部材の強度が向上し、摩耗、破損を防止することができる。
【００１８】
さらにまた、この場合、前記基材の上部には複数個の凸部または凹部が設けられ、前記カバー部材の下部には前記凸部または凹部に係合する凹部または凸部が設けられると、前記基材に対し前記カバー部材を接着しないで前記基材および前記カバー部材を一体的に係合することができる。
【００１９】
さらにまた、前記基材には側面に凹部または凸部が設けられ、前記カバー部材には前記凹部または凸部に係合する凸部または凹部が設けられると、前記基材と前記カバー部材との着脱を容易に行うことができる。
【００２０】
この場合、前記基材は、樹脂製タイルであると、成形が容易で大量生産ができるので、コストを低減することが可能である。
【００２１】
【発明の実施の形態】
本発明に係る積層タイルにつき好適な実施の形態を挙げ、添付の図面を参照して以下詳細に説明する。
【００２２】
図１は、本発明の第１の実施の形態に係る積層タイル１０の分解斜視図である。この積層タイル１０は、基本的には、樹脂製タイル（基材）１２と、前記樹脂製タイル１２の上面１２ａを被覆するカバー（カバー部材）１４と、前記樹脂製タイル１２と前記カバー１４との間に介挿された着脱自在な表示シート１６とから構成される。
【００２３】
樹脂製タイル１２は平面形状が略正四角形を備え、柔軟で難燃性の合成樹脂材料により成形されている。前記樹脂製タイル１２の上面１２ａには、所定間隔離間して複数個、例えば、９個の穴１８が設けられ、下面１２ｂには床面（図示せず）に対し脱着可能に固定するための固定粘着層２０が設けられている。樹脂製タイル１２の形状は正四角形以外の多角形形状であっても勿論よい。
【００２４】
前記穴１８の口径は後述する円形状の凸部２２の外径に対し若干小さく形成されているので穴１８および凸部２２が摩擦的に係合するため、両者は密に嵌合し容易に離脱しない。この場合、穴１８の口径と凸部２２の外径との寸法公差を逆にしてもよい。
【００２５】
前記穴１８は、樹脂製タイル１２の厚さの中間部位、例えば、上面１２ａより厚さの略２分の１の部位までに穿設されている（図示せず）が、前記樹脂製タイル１２の下面１２ｂおよび前記固定粘着層２０を貫通してもよい。
【００２６】
カバー１４は、透明または半透明であり合成樹脂材料であるポリエチレンテレフタレート（ＰＥＴ）により比較的薄い板状に射出成形加工され、外面が平滑に成形されている。前記カバー１４は、これ以外に、例えば、ポリプロピレン（ＰＰ）、ポリエチレン（ＰＥ）、ポリ塩化ビニル（ＰＶＣ）、ポリカーボネート（ＰＣ）等の合成樹脂材料で形成しても勿論よい。
【００２７】
図２Ａに示すように、カバー１４には上面部分１４ａに複数個の円柱状の凸部１５を設けてエンボス形状に成形され、通行人が滑るのを阻止することができる。
【００２８】
この場合、上面部分１４ａの滑り防止のために、後述するコーティング層１７の生成時の合成樹脂材料に滑り防止材を混合してもよい。また、カバー１４の上面部分１４ａは、エンボス形状の代わりに、滑りにくい材料で成形してもよい。
【００２９】
さらに、図２Ｂに示すように、カバー１４の強度を増すために上面部分１４ａに合成樹脂材料、例えば、ウレタンで強化されたアクリル系樹脂材料を塗布したコーティング層１７を設けてもよい。
【００３０】
前記カバー１４の下面部分１４ｂには、穴１８に嵌入する複数個の円柱状の凸部２２が該カバー１４と一体成形して設けられる。
【００３１】
図３Ａ〜図３Ｃは凸部２２の変形例の概略構成を示す。図３Ａの凸部２２ａは先端が円錐状の突起部２４ａに形成されており、図３Ｂの凸部２２ｂは先端が球形状の突起部２４ｂに形成され、図３Ｃの凸部２２ｃは先端が下方に先細りの縦断面台形状の突起部２４ｃに形成されている。前記突起部２４ａ〜２４ｃは、それぞれ凸部２２ａ〜２２ｃと一体成形され容易に離れない。
【００３２】
なお、カバー１４の凸部２２は、美感を考慮するとその数が少ない方がよい。この場合、カバー１４は下面部分１４ｂが平滑に成形されているので樹脂製タイル１２に対し密着性がよく、従って凸部２２の数を比較的少なくすることが可能である。
【００３３】
前記表示シート１６は、紙、耐水性シート、合成樹脂製フィルム等の薄い材料で形成された透明または着色された担体１９と、該担体１９に設けられた文字、図形、絵柄等の表示部材（以下、単に表示部材という）２６とを含む。表示部材２６は前記担体１９と一体的であってもよいし、また、分離構成されてもよい。前記担体１９は、紙に合成樹脂を塗布したもの、紙に合成樹脂シートを貼り合わせたものでも勿論よい。
【００３４】
本発明の第１の実施の形態に係る積層タイル１０は、基本的には以上のように構成されるものであり、次にその作用効果について説明する。
【００３５】
先ず、樹脂製タイル１２に表示シート１６を載置し、樹脂製タイル１２の穴１８と担体１９に設けられた穴２８とを整合させる。
【００３６】
次いで、カバー１４の凸部２２が穴２８を介して樹脂製タイル１２の穴１８に嵌入されると、穴１８および凸部２２は互いに摩擦的に係合するので、表示シート１６が樹脂製タイル１２とカバー１４とにより挟持される。
【００３７】
この場合、表示シート１６は、穴２８がカバー１４の凸部２２に係合されているので位置ずれを起こすことなく一定位置に設置される。さらに、表示シート１６は、穴１８と凸部２２との係合によりカバー１４によって樹脂製タイル１２に対し加圧され、確実に密着する。
【００３８】
従って、表示部材２６の絵柄等がカバー１４を介して鮮明に表示される。
【００３９】
本発明の第１の実施の形態に係る積層タイル１０では、カバー１４を樹脂製タイル１２より容易に着脱できるので、カバー１４または表示シート１６が汚れた場合でも樹脂製タイル１２を剥離することなく、該カバー１４または表示シート１６の交換もしくは清掃を容易に行うことができる。
【００４０】
このように、前記カバー１４が着脱可能であるので、表示シート１６の交換が容易であり、例えば、表示部材２６に宣伝広告に係る文言、絵柄等が表示されている場合、その表示内容を適時に迅速に交換することが可能となる。
【００４１】
さらに、表示シート１６には表示部材２６が設けられ、前記樹脂製タイル１２には設けられていないので、表示シート１６のみを作成することにより、文字、図形、絵柄等を簡便に切り換えることができ、例えば、キャンペーンを含めた販売促進活動に合わせて対応することができる。
【００４２】
また、複数並設される表示部材２６の場合、たとえ、生産時期の違いによる色誤差があったとしても、徐々にその色誤差を少なくするように表示部材２６を配置すれば些程に色の差が顕在化することはない。このように、表示部材２６はそれ単体あるいは表示シート１６と共に交換でき、軽量なのでその交換作業に要する労力が軽減される。
【００４３】
なお、樹脂製タイル１２が床面に対し固定粘着層２０により脱着可能に設けられれば、前記樹脂製タイル１２の位置ずれを解消することができる。
【００４４】
従って、積層タイルにおけるメンテナンスが簡単になり、結果として労力、経費を削減することができる。
【００４５】
次に、本発明の第１の実施の形態の変形例に係る積層タイル１０ａの概略構成を図４に示す。この場合、前記第１の実施の形態に係る積層タイル１０と同一の構成要素には同一の参照符号を付し、その詳細な説明は省略し、以下の説明についても同様とする。
【００４６】
この変形例の積層タイル１０ａにおいて、本発明の第１の実施の形態に係る積層タイル１０と異なる点は、シート状の担体１９を用いることなく、樹脂製タイル１２とカバー１４との間に直接表示部材２６を挟持するようにした点である。このように構成すれば、表示部材２６を樹脂製タイル１２に対し任意の方向に位置決めでき、複数の隣接する表示部材２６を特定の場所に指向して配設すれば、美感を向上させるとともに、特定の売場への案内等として用いることも容易となる。
【００４７】
このように、樹脂製タイル１２に対し表示部材２６の取り付け位置を自由に変えることができるので、例えば、複数個の表示部材２６を組み合わせて採用する場合には、該表示部材２６の位置を偏位させて配置することが可能である。
【００４８】
次いで、本発明の第１の実施の形態の他の変形例に係る積層タイル１０ｂの概略構成を図５に示す。
【００４９】
この変形例の積層タイル１０ｂにおいて、本発明の第１の実施の形態に係る積層タイル１０と異なる点は、樹脂製タイル１２の上面１２ａおよび側面３０ａ〜３０ｄに段差部３２を形成し、且つカバー１４の側面３４ａ〜３４ｄに側板３６ａ〜３６ｄを設けた点である。
【００５０】
この積層タイル１０ｂにおいては、樹脂製タイル１２の段差部３２にカバー１４の側板３６ａ〜３６ｄで囲繞される部位を係合することにより、前記カバー１４の下面部分１４ｂの端面近傍が樹脂製タイル１２の上面１２ａに確実に密着するので、カバー１４の浮き上がりを防止することができる。
【００５１】
図５に示されるように、樹脂製タイル１２の上面１２ａおよびカバー１４の下面部分１４ｂには、それぞれ９個の穴１８、凸部２２が設けられているが、これらの数に限定されず、任意の数でも勿論よい。
【００５２】
この場合、前記穴１８および凸部２２の数は、表示部材２６の美感の上から少ない方が好適である。
【００５３】
図６は、本発明の第２の実施の形態に係る積層タイル４０の分解斜視図である。
【００５４】
第２の実施の形態に係る積層タイル４０において、第１の実施の形態に係る積層タイル１０と異なる点は、カバー１４に表示部材２６を設ける点にある。
【００５５】
図６に示されるように、樹脂製タイル１２には穴１８（図１参照）の代わりに側面、例えば、３０ａ、３０ｃに横断面略Ｃ字状の凹部４２ａ、４２ｃが設けられる。一方、カバー１４には凸部２２（図１参照）の代わりに側面、例えば、３４ａ、３４ｃに凹部４２ａ、４２ｃに係合する突起部４４ａ、４４ｃが形成される。すなわち、この第２の実施の形態では、表示部材２６は、カバー１４の下面部分１４ｂに設けられている。
【００５６】
第２の実施の形態に係る積層タイル４０において、樹脂製タイル１２とカバー１４とを係合するには、凹部４２ａ、４２ｃと突起部４４ａ、４４ｃとを係合させることにより、両者は一体的に形成される。
【００５７】
この積層タイル４０においては、カバー１４に凸部２２が形成されていないので、表示部材２６が鮮明に表示され、該表示部材２６に対し美感上の違和感がないため、美的効果を高めることができる。この積層タイル４０において、表示部材２６をカバー１４に設けることなく、担体１９に設けてカバー１４と樹脂製タイル１２との間に該表示シート１６を介装しても勿論よい。
【００５８】
さらに、樹脂製タイル１２の凹部４２ａ、４２ｃとカバー１４の突起部４４ａ、４４ｃとの着脱作業が簡単である。
【００５９】
また、カバー１４を射出成形する際の金型が簡素化されるので、より一層製造コストを低減することが可能である。
【００６０】
【発明の効果】
本発明によれば、樹脂製基材に対しカバー部材を着脱自在に設けることにより、前記樹脂製基材とカバー部材との間に表示部材を容易に着脱することができ、その表示内容を適時に迅速に変更することが可能となる。
【００６１】
さらに、前記カバー部材および表示部材が汚れた場合には、容易に交換できるので、メンテナンスが簡素化される。
【図面の簡単な説明】
【図１】本発明の第１の実施の形態に係る積層タイルの分解斜視説明図である。
【図２】図２Ａは、図１のカバーの上面がエンボス形状に成形された概略構成を示す一部破断側面図、図２Ｂは、図１のカバーの上面に合成樹脂材料をコーティングした概略構成を示す一部破断側面図である。
【図３】図３Ａは、図１の凸部に対し先端に円錐状の突起部を有する凸部の第１の変形例の概略構成を示す側面図、図３Ｂは、図１の凸部に対し先端に球形状の突起部を有する凸部の第２の変形例の概略構成を示す側面図、図３Ｃは、図１の凸部に対し先端に下方に先細りの縦断面台形状の突起部を有する凸部の第３の変形例の概略構成を示す側面図である。
【図４】本発明の第１の実施の形態の変形例に係る積層タイルの分解斜視説明図である。
【図５】本発明の第１の実施の形態の他の変形例に係る積層タイルの分解斜視説明図である。
【図６】本発明の第２の実施の形態に係る積層タイルの分解斜視説明図である。
【符号の説明】
１０、１０ａ、１０ｂ、４０…積層タイル
１２…樹脂製タイル              １４…カバー
１６…表示シート                １７…コーティング層
１５、２２、２２ａ〜２２ｃ…凸部
２４ａ〜２４ｃ、４４ａ、４４ｃ…突起部
２６…表示部材                  ３０ａ〜３０ｄ、３４ａ〜３４ｄ…側面
３２…段差部                    ３６ａ〜３６ｄ…側板
４２ａ、４２ｃ…凹部
【図１】
2004308215.tif 000003
【図２】
2004308215.tif 000004
【図３】
2004308215.tif 000005
【図４】
2004308215.tif 000006
【図５】
2004308215.tif 000007
【図６】
2004308215.tif 000008